(57)【要約】    【課題】  重厚感が発揮される非円形の柱を有する収納式進入防止装置において、平面視が複数回回転対称形の柱を採用することによって構造の簡略化が図れる収納式進入防止装置を提供する。    【解決手段】  柱体は、柱本体と、該柱本体の下部に設けられた係止部とを備え、柱体の平面視外周形状は非円形で且つ回転対称形であり、収納体の平面視内周形状は柱体の外周形状と相似する形状であって、該収納体内に柱本体を回転不能に且つ摺動自在に収納し、収納体は係止部が係止する受け部を有し、柱体全体を収納体から突出させた状態で柱体を回転対称位置まで回転させた後に、柱体の下部を収納体に没入させたときに、柱体の係止部が収納体の受け部に係止して柱体全体の没入が阻止され、係止部が収納体の受け部に係止する位置以外の回転対称位置では係止部は受け部に係止せずに収納体内に柱体全体が没入するように構成した。  【選択図】    図７
2007039878.tif 000002
【特許請求の範囲】
【請求項１】
地中に埋設される収納体と、地上に出没自在にして前記収納体内に収納される柱体とを備えた収納式進入防止装置において、
前記柱体は、柱本体と、該柱本体の下部に設けられた係止部とを備え、
前記柱体の平面視外周形状は非円形で且つ回転対称形であり、
前記収納体の平面視内周形状は前記柱体の外周形状と相似する形状であって、該収納体内に前記柱本体を回転不能に且つ摺動自在に収納し、
前記収納体は前記係止部が係止する受け部を有し、
前記柱体を前記収納体から突出させた状態で前記柱体を回転対称位置まで回転させた後に、前記柱体の下部を前記収納体に没入させたときに、前記柱体の前記係止部が前記収納体の前記受け部に係止して前記柱体全体の没入が阻止され、前記係止部が前記収納体の前記受け部に係止する位置以外の回転対称位置では前記係止部は前記受け部に係止せずに前記収納体内に前記柱体全体が没入するように構成したことを特徴とする収納式進入防止装置。
【請求項２】
前記柱体を中空に形成し、前記柱体の内周面から中空部内に前記係止部を突設し、
前記収納体の底部から軸を立設し、前記軸の上端に前記受け部を設け、前記軸を前記柱体の前記中空部に挿通したことを特徴とする請求項１に記載の収納式進入防止装置。
【請求項３】
前記柱体の平面視外周形状は正四角形であることを特徴とする請求項１又は２に記載の収納式進入防止装置。
【請求項４】
前記軸の前記受け部に係止することによって前記柱体が前記収納体から抜けるのを防止するストッパーを前記柱体に設けたことを特徴とする請求項１から３のいずれかに記載の収納式進入防止装置。
【請求項５】
前記柱体は柱本体と前記柱本体の下端に形成される支持部とを備え、前記柱本体の平面視外周形状は非円形で且つ回転対称形であり、前記支持部の平面視外周形状は前記収納体の内壁面に外接する円形であることを特徴とする請求項１から３のいずれかに記載の収納式進入防止装置。
【請求項６】
前記柱本体及び前記支持部を中空にすると共に両者の中空部を連通し、前記支持部の下板を前記ストッパーとし、該ストッパーの中央部に孔部を設け、前記収納体の前記軸を前記柱体の前記孔部及び前記中空部に挿通したことを特徴とする請求項４又は５に記載の収納式進入防止装置。
【発明の詳細な説明】
【技術分野】
【０００１】
本発明は、車両や人の進入を防ぐ格納式進入防止装置に関するものである。
【背景技術】
【０００２】
格納式進入防止装置は、収納体内に柱体を収納し、必要なときに柱体を地上に突出させて車両等の進入を防止するものである。
【０００３】
しかしながら、従来の装置は、柱体が円柱状で重厚感に乏しく安っぽい印象を与えるという問題があった。
【０００４】
一方、非円形の柱体を採用したものとしては、下向き姿勢の格納筒に、その格納筒内に挿入させた平面視外形状が非円形の柱体を、上方に突出する作用位置と下方に引退する格納位置とに摺動自在に保持させ、前記柱体を作用位置において格納筒に固定する固定手段を設けてある格納式柱であって、前記固定手段を構成するに、前記格納筒のうち柱体を摺動自在に保持する保持部を格納筒の本体に縦軸芯周りに回転自在に取付け、前記柱体のうち作用位置において格納筒内に位置する部分に周面より外方に突出する突起を設け、前記柱体が格納筒に対して縦軸芯周りで設定された設定回転姿勢にある状態においてのみ前記突起を載置して柱体を作用位置に受止め支持し、かつ、柱体が前記設定回転姿勢以外に回転姿勢にある状態では突起に対する載置作用を解除する支持部を格納筒に設けてある格納式柱（特許文献１）が提案されている。
【特許文献１】実公平６−４３２０８号公報
【発明の開示】
【発明が解決しようとする課題】
【０００５】
しかしながら、かかる収納式進入防止装置は、構造が複雑化して製造コストの面で不利になるという問題があった。
【０００６】
そこで、本発明は、重厚感が発揮される非円形の柱を有する収納式進入防止装置において、平面視が複数回回転対称形の柱を採用することによって構造の簡略化が図れる収納式進入防止装置を提供することを課題とする。
【課題を解決するための手段】
【０００７】
本発明者は、前記課題を解決するために鋭意研究を重ねて完成されたものである。
１．地中に埋設される収納体と、地上に出没自在にして前記収納体内に収納される柱体とを備えた収納式進入防止装置において、前記柱体は、柱本体と、該柱本体の下部に設けられた係止部とを備え、前記柱体の平面視外周形状は非円形で且つ回転対称形であり、前記収納体の平面視内周形状は前記柱体の外周形状と相似する形状であって、該収納体内に前記柱本体を回転不能に且つ摺動自在に収納し、前記収納体は前記係止部が係止する受け部を有し、前記柱体を前記収納体から突出させた状態で前記柱体を回転対称位置まで回転させた後に、前記柱体の下部を前記収納体に没入させたときに、前記柱体の前記係止部が前記収納体の前記受け部に係止して前記柱体全体の没入が阻止され、前記係止部が前記収納体の前記受け部に係止する位置以外の回転対称位置では前記係止部は前記受け部に係止せずに前記収納体内に前記柱体全体が没入するように構成したことを特徴とする収納式進入防止装置を提供する。
２．前記柱体を中空に形成し、前記柱体の内周面から中空部内に前記係止部を突設し、前記収納体の底部から軸を立設し、前記軸の上端に前記受け部を設け、前記軸を前記柱体の前記中空部に挿通したことを特徴とする前記１に記載の収納式進入防止装置を提供する。
３．前記柱体の平面視外周形状は正四角形であることを特徴とする前記１又は２に記載の収納式進入防止装置を提供する。
４．前記軸の前記受け部に係止することによって前記柱体が前記収納体から抜けるのを防止するストッパーを前記柱体に設けたことを特徴とする前記１から３のいずれかに記載の収納式進入防止装置を提供する。
５．前記柱体は柱本体と前記柱本体の下端に形成される支持部とを備え、前記柱本体の平面視外周形状は非円形で且つ回転対称形であり、前記支持部の平面視外周形状は前記収納体の内壁面に外接する円形であることを特徴とする前記１から３のいずれかに記載の収納式進入防止装置を提供する。
６．前記柱本体及び前記支持部を中空にすると共に両者の中空部を連通し、前記支持部の下板を前記ストッパーとし、該ストッパーの中央部に孔部を設け、前記収納体の前記軸を前記柱体の前記孔部及び前記中空部に挿通したことを特徴とする前記４又は５に記載の収納式進入防止装置を提供する。
【発明の効果】
【０００８】
本発明の収納式進入防止装置は、前記柱体の平面視外周形状は非円形で且つ回転対称形であるので、円柱状のものに較べて重厚感や安定感が増し、マンションなどの建物とマッチして該建物の価値を向上させると共に都市景観の向上に寄与することができる。
【０００９】
また、前記収納体の平面視内周形状は前記柱体の外周形状と相似する形状であって、該収納体内に前記柱体を回転不能に且つ摺動自在に収納し、前記柱体を前記収納体から突出させた状態で前記柱体を他の回転対称位置まで回転させた後に、前記柱体の一部を前記収納体に没入させたときに、前記柱体の係止片が前記収納体の受け部に係止して前記柱体全体の没入が阻止されるように構成され、前記柱体の一部を前記収納体に没入させることによって前記柱体が前記収納体と嵌合して前記柱体の回転が規制されて該柱体を地上の突出させた状態で確実に位置決めすることができる。このように、重厚感のある前記柱体の形状を利用して前記柱体を位置決めできるので、柱体の回り止めのための装置及び該装置の操作が不要になり、製造コストの低減及び操作の容易化が図れる。
【００１０】
また、前記柱体の下部に支持部を設け、該支持部を、平面視外周形状が前記収納体の内壁面に外接する円形であり、且つ、柱体にすれば、柱体の支持部を収納体の内周壁面に接触させることによって、柱本体を安定的に支持することができる。
【発明を実施するための最良の形態】
【００１１】
以下、本発明に係る収納式進入防止装置の実施形態について図面を参照しつつ説明する。
【００１２】
図３のように収納式進入防止装置Ａは、地中に埋設される収納体１と、収納体１内に収納される柱体２とを備えている。
【００１３】
図２のように柱体２は、正四角柱状で中空の柱本体２１と円柱状で中空の支持部２２とを有し、両者は同軸に配設され、また、両者の中空部２１ａ，２２ａは連通している。支持部２２の中空部２２ａの上端から一対の半月板状の係止部２３が対向するように水平に突設され、一対の係止部２３間には後述する収納体１の軸１１及び受け部１２を挿通するための隙間２３ａが形成されている。また、支持部２２の下板となるストッパー２２ｂには軸１１を挿通する孔部２２ｃが設けられている。柱体２の天板２ａには該柱体２を収納体１から引き出すための図外の指掛け部が設けられている。なお、柱本体２１の平面視外周形状は非円形で複数回回転対称形であれば良く、柱本体２１は正四角柱状に限定されるものではない。
【００１４】
図１のように収納体１は上面が開口する四角柱状の箱体であって、平面視内周形状は、柱体２の柱本体２１の外周形状と相似する正四角形状であって、図３のように収納体１内には柱体２が回転不能に且つ摺動自在に収納され、また、柱体２の支持部２２の外面は収納体１の内面に外接する。なお、ここでいう外接には、柱体２の円滑な回転の確保や組立の容易化などの観点から、支持部２２の外面は、収納体１の全側面板１ａの内面に同時に接触することなく、両面の間に僅かな隙間が形成される場合も含むものとする。
【００１５】
収納体１の開口部１ｂの周囲には外鍔１ｃが設けられ、収納体１の底板１ｄの中央からは軸１１が立設され、軸１１の上端には受け部１２が固定され、該受け部１２の両側部１２ａは軸１１の両側方に水平に突設されている。なお、受け部１２は柱体２が収納体１から抜け出るのを防ぐ役割も果たす。
【００１６】
このように構成される収納式進入防止装置によれば、次のように柱体２を地上に引き出して位置決めすることができる。
（１）まず、柱体２を、図３及び図７（ａ）のように収納体１内に収納された状態から、図４及び図７（ｂ）のように柱本体２１が収納体１から完全に突出するまで地上に引き出す。このとき、柱体２の係止部２３間の隙間２３ａが収納体１の軸１１の受け部１２を通り抜けることによって該受け部１２は柱体２の支持部２２の中空部２２ａ内に位置する。また、受け部１２が柱体２の支持部２２のストッパー２２ｂに係当したときであっても、該支持部２２の一部が収納体１内に位置するように設定されて柱体２が収納体１から完全に抜け出るのを防いでいる。
（２）次に、正四角形は９０度の回転対称であるので、図５及び図７（ｃ）のように柱体２を９０度回転させて他の回転対称位置に位置させる。これによって平面視では収納体１の受け部１２の側部１２ａと柱体２の係止部２３とが重なる。本実施形態では２７０度回転させても、係止部２３と受け部１２の側部１２ａとを重ねることができるが、１８０度回転させたときには両者は重ならずに受け部１２は係止部２３間の隙間を通過することになる。なお、当該他の回転対称位置のすべてで両者が重なるようにしても良く、この点については適宜設計変更可能である。
（３）次に、図６及び図７（ｄ）のように柱体２を僅かに降下させて柱本体２１の下端部を収納体１内に没入させて柱体２の回転を規制する一方、収納体１の軸１１の受け部１２の上に柱体２の係止部２３を係止させて柱本体２１が地上に突出した状態を維持する。また、柱体２の支持部２２の外周面は収納体１の内周面に外接することによって柱本体２１のガタツキを防止することができる。
（４）柱体２全体を収納体１内に没入させる場合には、柱体２を一旦引き上げて受け部１２の側部１２ａと係止部２３とが重ならない回転対称位置まで柱体２を回転させれば良い。
【００１７】
図８は、マンションの周囲に設けられた収納式進入防止装置Ａを示しているが、該装置Ａの設置場所は特に限定されるものではない。
【００１８】
なお、収納式進入防止装置は、かかる実施形態のものには限定はされず、例えば軸１１を設けずに受け部１２を収納体１の側面板１ａの内面側に設ける一方、係止部２３を柱体２の外面側に設けるようにしても良い。
【図面の簡単な説明】
【００１９】
【図１】（ａ）は本発明の実施形態に係る収納式進入防止装置の収納体の正断面図、（ｂ）は側断面図、（ｃ）は斜視図である。
【図２】同実施形態に係る収納式進入防止装置の柱体の正断面図、（ｂ）は側断面図、（ｃ）は斜視図である。
【図３】同実施形態に係る収納式進入防止装置全体の斜視図である。
【図４】同実施形態に係る収納式進入防止装置の動作を説明する斜視図である。
【図５】同実施形態に係る収納式進入防止装置の動作を説明する斜視図である。
【図６】同実施形態に係る収納式進入防止装置の動作を説明する斜視図である。
【図７】（ａ）乃至（ｄ）は同実施形態に係る収納式進入防止装置の動作を説明する断面図である。
【図８】同実施形態に係る収納式進入防止装置の設置状態を示す斜視図である。
【符号の説明】
【００２０】
Ａ        収納式進入防止装置
１        収納体
１１      軸
１２      受け部
２        柱体
２１      柱本体
２２      支持部
２３      係止部
【図１】
2007039878.tif 000003
【図２】
2007039878.tif 000004
【図３】
2007039878.tif 000005
【図４】
2007039878.tif 000006
【図５】
2007039878.tif 000007
【図６】
2007039878.tif 000008
【図７】
2007039878.tif 000009
【図８】
2007039878.tif 000010